(57)【要約】【課題】  セキュリティ性の高いＷＥＢファームバンキングの機能を利用することによって、安全確実にネットワーク上で様々な情報の保管と提供および交換を行うことができ、且つ課金処理を同時に行うことができる電子決済システムを提供する。【解決手段】  本発明の電子決済システムは、情報提供側の端末（送信元ＰＣ）２０Ａと、情報受取側の端末（携帯電話）２０Ｂと、インターネットやイントラネット等のコンピュータネットワーク４０と、情報提供側の端末２０Ａ及び情報受取側の端末２０Ｂをコンピュータネットワーク４０上で通信可能にするプロバイダ（通信キャリアを含む）３０ａ，３０ｂと、情報の保管提供及び電子決済を行うサーバ１０と、を備えている。【選択図】  図１
2007004519.tif 000002
【特許請求の範囲】
【請求項１】
情報を送信する送信側端末と、情報を受信する受信側端末と、前記送信側端末からの情報を保管し前記受信側端末に当該情報を提供する電子決済サーバと、前記送信側端末、前記受信側端末及び前記サーバを通信可能に接続するネットワークと、を備える電子決済システムであって、
前記電子決済サーバは、
情報入力用、情報提供用、ユーザ登録用のＷｅｂページを記憶するＷｅｂページ記憶手段と、
前記送信側端末から入力された情報を蓄積保管する情報記憶手段と、
前記送信側端末へ前記Ｗｅｂページ記憶手段に記憶されている情報入力用のＷｅｂページを提供し、前記送信側端末から当該Ｗｅｂページに入力された情報を受信して前記情報記憶手段に蓄積保管し、前記受信側端末からの要求に応じて前記情報記憶手段に蓄積保管した前記情報を情報提供用のＷｅｂページによって前記受信側端末に提供する情報処理手段と、
電子メールを作成し送受信する電子メール処理手段と、
電子メールアドレスと該電子メールアドレスに紐付けされた口座番号を記憶するユーザ情報記憶手段と、
口座情報を記憶する口座情報記憶手段と、
前記口座情報記憶手段に記憶されている口座情報に基づいて決済を行う決済処理手段と、
を備え、
前記電子メール処理手段は、情報提供用のＷｅｂページを示すＵＲＬ（以下、「情報提供用ＵＲＬ」という）を含む電子メールを作成して前記受信側端末に該電子メールを送信し、
前記情報処理手段は、前記受信側端末から情報提供用ＵＲＬに対してアクセス要求があった際に、当該アクセスを許可するか否かを判断し、許可する場合には情報提供用のＷｅｂページを前記受信側端末に送信し、
前記決済処理手段は、前記送信側端末からの情報の蓄積保管、及び／又は前記受信側端末への情報の提供の際に、前記送信側端末、及び／又は前記受信側端末のユーザの電子メールアドレスに基づいて、課金処理を行う、
ことを特徴とする電子決済システム。
【請求項２】
前記情報処理手段は、前記送信側端末で設定されたパスワードと前記受信側端末から入力されたパスワードが一致した場合に情報提供用ＵＲＬに対するアクセスを許可する、
ことを特徴とする請求項１記載の電子決済システム。
【請求項３】
前記情報処理手段は、口座情報を有するユーザのみから情報を受信する、
ことを特徴とする請求項１または２記載の電子決済システム。
【請求項４】
前記情報処理手段は、口座情報を有するユーザのみに情報を提供する、
ことを特徴とする請求項１から３何れか記載の電子決済システム。
【請求項５】
前記情報処理手段は、情報が提供されるユーザの口座情報がない場合、前記受信側端末に送信する電子メールに口座開設用のＷｅｂページを示すＵＲＬを付記する、
ことを特徴とする請求項１から４何れか記載の電子決済システム。
【請求項６】
前記情報処理手段は、口座を開設した場合のみ受信側端末に情報を提供する、
ことを特徴とする請求項５記載の電子決済システム。
【請求項７】
前記ネットワークは、インターネット又はイントラネットである、
ことを特徴とする請求項１から６何れか記載の電子決済システム。
【請求項８】
前記送信側端末及び前記受信側端末は、携帯電話、ＰＣ、または携帯通信機器の何れかである、ことを特徴とする請求項１から７何れか記載の電子決済システム。
【請求項９】
電子決済システムを介して情報を提供する情報提供方法であって、情報を送信する送信側端末と、情報を受信する受信側端末と、前記送信側端末からの情報を保管し前記受信側端末に当該情報を提供する電子決済サーバと、前記送信側端末、前記受信側端末及び前記サーバを通信可能に接続するネットワークと、を備え、
（Ａ）前記送信側端末へ情報入力用のＷｅｂページを提供し、
（Ｂ）前記送信側端末から当該Ｗｅｂページに入力された情報を受信して蓄積保管し、
（Ｃ）情報提供用のＷｅｂページを示すＵＲＬ（以下、「情報提供用ＵＲＬ」という）を含む電子メールを作成して前記受信側端末に該電子メールを送信し、
（Ｄ）前記受信側端末から情報提供用ＵＲＬに対してアクセス要求があった際に、当該アクセスを許可するか否かを判断し、許可する場合には情報提供用のＷｅｂページを前記受信側端末に送信する、
ことを特徴とする情報提供方法。
【請求項１０】
前記ステップ（Ｂ）及び／又は前記ステップ（Ｄ）において、情報送信ユーザ及び／又は情報受信ユーザの口座情報に基づいて決済を行う、
ことを特徴とする請求項９記載の情報提供方法。
【請求項１１】
前記決済処理は、前記送信側端末及び／又は前記受信側端末のユーザの電子メールアドレスに基づいて、課金処理を行う、
ことを特徴とする請求項１０記載の情報提供方法。
【請求項１２】
前記ステップ（Ｄ）は、前記送信側端末で設定されたパスワードと前記受信側端末から入力されたパスワードが一致した場合に情報提供用ＵＲＬに対するアクセスを許可する、
ことを特徴とする請求項９から１１何れか記載の情報提供方法。
【請求項１３】
前記ステップ（Ａ）は、口座情報を有するユーザのみへ情報入力用のＷｅｂページを提供する、
ことを特徴とする請求項９から１２何れか記載の情報提供方法。
【請求項１４】
前記ステップ（Ｄ）は、口座情報を有するユーザのみに情報を提供する、
ことを特徴とする請求項９から１３何れか記載の情報提供方法。
【請求項１５】
前記ステップ（Ｃ）は、情報が提供されるユーザの口座情報がない場合、前記受信側端末に送信する電子メールに口座開設用のＷｅｂページを示すＵＲＬを付記する、
ことを特徴とする請求項９から１４何れか記載の情報提供方法。
【請求項１６】
前記ステップ（Ｄ）は、口座を開設した場合のみ受信側端末に情報を提供する、
ことを特徴とする請求項１５記載の情報提供方法。
【請求項１７】
電子決済システムにおいて情報を保管し提供するためのプログラムであって、前記請求項１から８何れか記載の電子決済システムの機能を、コンピュータに実現させる、ことを特徴とするプログラム。
【請求項１８】
電子決済システムにおいて情報を保管し提供するためのプログラムであって、前記請求項９から１６何れか記載の情報提供方法の処理を、コンピュータに実行させる、ことを特徴とするプログラム。
【発明の詳細な説明】
【技術分野】
【０００１】
本発明は、ネットワーク上で情報の保管と提供を行う電子決済システム、情報提供方法及びプログラムに関する。特には、安全確実にネットワーク上で情報の保管と提供を行うことができ、且つ課金処理を同時に行うことができるセキュリティ性の高い電子決済システム、情報提供方法及びプログラムに関する。
【背景技術】
【０００２】
本願出願人が出願した特許公開２００１−１５１８７９号公報には、ネットワーク上で決済処理行を行う電子決済システム及び情報提供方法が記載されている。これにより、パソコンや携帯電話などからインターネットを利用して、安全に総合振込・給与振込・口座振替・都度振込・残高照会・入出金明細照会などができる。
【０００３】
このようなＷＥＢファームバンキングはセキュリティ性が非常に高く電子決済システムにおいては、ネットワーク上で安全且つ確実に低コストで決済処理行を行うことができる。
【特許文献１】特許公開２００１−１５１８７９号公報
【発明の開示】
【発明が解決しようとする課題】
【０００４】
しかしながら、上述したような記憶媒体を使用せずにデータの授受を行うことができるＷＥＢファームバンキングは、決済や送金を目的とした口座振替データや振込データのみにしか利用されていない。
【０００５】
従って、本発明の目的は、ＷＥＢファームバンキングの機能を利用し、安全確実にネットワーク上で様々な情報の保管と提供および交換を行うことができ、且つ課金処理を同時に行うことができるセキュリティ性の高い電子決済システム、情報提供方法及びプログラムを提供することである。
【課題を解決するための手段】
【０００６】
上記課題を解決するため、本発明の電子決済システムは、情報を送信する送信側端末と、情報を受信する受信側端末と、前記送信側端末からの情報を保管し前記受信側端末に当該情報を提供する電子決済サーバと、前記送信側端末、前記受信側端末及び前記サーバを通信可能に接続するネットワークと、を備える電子決済システムであって、  前記電子決済サーバは、    情報入力用、情報提供用、ユーザ登録用のＷｅｂページを記憶するＷｅｂページ記憶手段と、    前記送信側端末から入力された情報を蓄積保管する情報記憶手段と、    前記送信側端末へ前記Ｗｅｂページ記憶手段に記憶されている情報入力用のＷｅｂページを提供し、前記送信側端末から当該Ｗｅｂページに入力された情報を受信して前記情報記憶手段に蓄積保管し、前記受信側端末からの要求に応じて前記情報記憶手段に蓄積保管した前記情報を情報提供用のＷｅｂページによって前記受信側端末に提供する情報処理手段と、    電子メールを作成し送受信する電子メール処理手段と、    電子メールアドレスと該電子メールアドレスに紐付けされた口座番号を記憶するユーザ情報記憶手段と、    口座情報を記憶する口座情報記憶手段と、    前記口座情報記憶手段に記憶されている口座情報に基づいて決済を行う決済処理手段と、  を備え、    前記電子メール処理手段は、情報提供用のＷｅｂページを示すＵＲＬ（以下、「情報提供用ＵＲＬ」という）を含む電子メールを作成して前記受信側端末に該電子メールを送信し、    前記情報処理手段は、前記受信側端末から情報提供用ＵＲＬに対してアクセス要求があった際に、当該アクセスを許可するか否かを判断し、許可する場合には情報提供用のＷｅｂページを前記受信側端末に送信し、    前記決済処理手段は、前記送信側端末からの情報の蓄積保管、及び／又は前記受信側端末への情報の提供の際に、前記送信側端末、及び／又は前記受信側端末のユーザの電子メールアドレスに基づいて、課金処理を行う、  ことを特徴とする。
【０００７】
ここで、前記情報処理手段は、前記送信側端末で設定されたパスワードと前記受信側端末から入力されたパスワードが一致した場合に情報提供用ＵＲＬに対するアクセスを許可する、ことができる。
【０００８】
また、前記情報処理手段は、口座情報を有するユーザのみから情報を受信する、ことができる。
【０００９】
また、前記情報処理手段は、口座情報を有するユーザのみに情報を提供する、ことができる。
【００１０】
また、前記情報処理手段は、情報が提供されるユーザの口座情報がない場合、前記受信側端末に送信する電子メールに口座開設用のＷｅｂページを示すＵＲＬを付記する、ことができる。
【００１１】
さらに、前記情報処理手段は、口座を開設した場合のみ受信側端末に情報を提供する、ようにすることができる。
【００１２】
ここで、前記ネットワークは、インターネット又はイントラネットである、ようにするとよい。
【００１３】
また、前記送信側端末及び前記受信側端末は、携帯電話、ＰＣ、または携帯通信機器の何れかである、ようにする。
【００１４】
また、上記課題を解決するため、本発明の情報提供方法は、  電子決済システムを介して情報を提供する情報提供方法であって、情報を送信する送信側端末と、情報を受信する受信側端末と、前記送信側端末からの情報を保管し前記受信側端末に当該情報を提供する電子決済サーバと、前記送信側端末、前記受信側端末及び前記サーバを通信可能に接続するネットワークと、を備え、（Ａ）前記送信側端末へ情報入力用のＷｅｂページを提供し、（Ｂ）前記送信側端末から当該Ｗｅｂページに入力された情報を受信して蓄積保管し、（Ｃ）情報提供用のＷｅｂページを示すＵＲＬ（以下、「情報提供用ＵＲＬ」という）を含む電子メールを作成して前記受信側端末に該電子メールを送信し、（Ｄ）前記受信側端末から情報提供用ＵＲＬに対してアクセス要求があった際に、当該アクセスを許可するか否かを判断し、許可する場合には情報提供用のＷｅｂページを前記受信側端末に送信する、ことを特徴とする。
【００１５】
ここで、前記ステップ（Ｂ）及び／又は前記ステップ（Ｄ）において、情報送信ユーザ及び／又は情報受信ユーザの口座情報に基づいて決済を行う、ことができる。
【００１６】
また、前記決済処理は、前記送信側端末及び／又は前記受信側端末のユーザの電子メールアドレスに基づいて、課金処理を行う、ようにするとよい。
【００１７】
ここで、前記ステップ（Ｄ）は、前記送信側端末で設定されたパスワードと前記受信側端末から入力されたパスワードが一致した場合に情報提供用ＵＲＬに対するアクセスを許可する、ことができる。
【００１８】
また、前記ステップ（Ａ）は、口座情報を有するユーザのみへ情報入力用のＷｅｂページを提供する、ことができる。
【００１９】
また、前記ステップ（Ｄ）は、口座情報を有するユーザのみに情報を提供する、ようにするとよい。
【００２０】
さらに、前記ステップ（Ｃ）は、情報が提供されるユーザの口座情報がない場合、前記受信側端末に送信する電子メールに口座開設用のＷｅｂページを示すＵＲＬを付記する、ことができる。
【００２１】
また、前記ステップ（Ｄ）は、口座を開設した場合のみ受信側端末に情報を提供する、ことができる。
【００２２】
また、上記課題を解決するため、本発明のプログラムは、電子決済システムにおいて情報を保管し提供するためのプログラムであって、上記何れか記載の電子決済システムの機能を、コンピュータに実現させる、ことを特徴とする。
【００２３】
また、上記課題を解決するため、本発明の態様のプログラムは、電子決済システムにおいて情報を保管し提供するためのプログラムであって、上記何れか記載の情報提供方法の処理を、コンピュータに実行させる、ことを特徴とする。
【発明の効果】
【００２４】
本発明の電子決済システム、情報提供方法及びプログラムによれば、セキュリティ性の高いＷＥＢファームバンキングの機能を利用することによって、安全確実にネットワーク上で様々な情報の保管と提供および交換を行うことができ、且つデータ容量やデータの種類に応じて課金処理を同時に行うことができる。
【発明を実施するための最良の形態】
【００２５】
以下、図面を参照して本発明の電子決済システム、情報提供方法及びプログラムの実施の形態を説明する。
【００２６】
図１は、本発明の電子決済システムの一形態を示す図である。この電子決済システムは、情報提供側の端末（送信元ＰＣ）２０Ａと、情報受取側の端末（携帯電話）２０Ｂと、インターネットやイントラネット等のコンピュータネットワーク４０と、情報提供側の端末２０Ａ及び情報受取側の端末２０Ｂをコンピュータネットワーク４０上で通信可能にするプロバイダ（通信キャリアを含む）３０ａ，３０ｂと、情報の保管提供及び電子決済を行うサーバ１０と、を備えている。
【００２７】
ここで、決済サーバ１０は、コンピュータネットワーク４０との間の通信を制御する通信制御部１１と、情報入力用、情報提供用、ユーザ登録用のＷｅｂページを記憶するＷｅｂページＤＢ１３と、送信元ＰＣ（以下、「送信側端末」ともいう）２０Ａから入力された情報を蓄積保管する情報ＤＢ１４と、送信側端末２０ＡへＷｅｂページＤＢ１３に記憶されている情報入力用のＷｅｂページを提供し、送信側端末２０Ａから当該Ｗｅｂページに入力された情報を受信して情報ＤＢ１４に蓄積保管し、携帯電話（以下、「受信側端末」ともいう）２０Ｂからの要求に応じて情報ＤＢ１４に蓄積保管した情報を情報提供用のＷｅｂページによって受信側端末２０Ｂに提供する情報処理部１２と、電子メールを作成し送受信する電子メール処理部１７と、ユーザの登録、口座開設、ユーザ名、ユーザ住所、ユーザ生年月日、パスワード、電子メールアドレスと該電子メールアドレスに紐付けされた口座番号などのユーザ情報を記憶するユーザ情報ＤＢ１６、ユーザ情報を処理するユーザ情報処理部１５と、口座情報を記憶する口座ＤＢ１９と、口座ＤＢ１９に記憶されている口座情報に基づいて決済を行う決済処理部１８と、を備えている。
【００２８】
ここで、電子メール処理部１７は、情報提供用のＷｅｂページを示すＵＲＬ（以下、「情報提供用ＵＲＬ」という）を含む電子メールを作成して受信側端末２０Ｂに該電子メールを送信する。
【００２９】
また、情報処理部１２は、受信側端末２０Ｂから情報提供用ＵＲＬに対してアクセス要求があった際に、当該アクセスを許可するか否かを判断し、許可する場合には情報提供用のＷｅｂページを受信側端末２０Ｂに送信する。
【００３０】
また、決済処理部１８は、送信側端末２０Ａからの情報の蓄積保管、及び／又は受信側端末２０Ｂへの情報の提供の際に、送信側端末２０Ａ及び／又は受信側端末２０Ｂのユーザの電子メールアドレスまたは口座番号に基づいて、課金処理を行う。
【００３１】
ここで、情報処理部１２は、送信側端末２０Ａで設定されたパスワードと受信側端末２０Ｂから入力されたパスワードが一致した場合に情報提供用ＵＲＬに対するアクセスを許可する。また、情報処理部１２は、口座情報を有するユーザのみから情報を受信するようにすることができ、口座情報を有するユーザのみに情報を提供することができる。
【００３２】
ここで、情報処理部１２は、情報が提供されるユーザの口座情報がない場合、受信側端末２０Ｂに送信する電子メールに口座開設用のＷｅｂページを示すＵＲＬを付記する。そして、口座を開設した場合のみ受信側端末２０Ｂに情報を提供する。
【００３３】
ここで、送信側端末２０Ａ及び受信側端末２０Ｂは、携帯電話、ＰＣ、または携帯通信機器、通信家電などのネットワーク４０に接続可能なものであればよい。
【００３４】
図２は、本発明の情報提供方法の処理を示すフローチャートである。図１及び図２において、サーバ１０で送信側端末２０Ａのユーザの口座開設が行われ、情報データＤＢ１４に情報蓄積保管及び提供用の情報データＢＯＸを開設する（ステップ２０１，ステップ２０）。このとき、ユーザ情報ＤＢ１６には、登録されたユーザの電子メールアドレスと口座番号が紐付けされて記憶される。
【００３５】
送信側端末２０Ａからの要求に応じて、情報入力用のＷｅｂページを提供し、送信側端末から当該Ｗｅｂページに入力された情報、情報提供用パスワード、情報提供先（相手側）電子メールアドレスを受信して蓄積保管する（ステップ２０３）。
【００３６】
ここで、情報提供先（相手側）電子メールアドレス及び口座番号がすでにユーザ情報ＤＢに登録されているかどうかを確認し（ステップ２０４）、登録されていれば情報提供用のＷｅｂページのＵＲＬ（以下、「情報提供用ＵＲＬ」という）、情報提供者などの情報を含む電子メールを作成して受信側端末２０Ｂに送信する（ステップ２０６）。ステップ２０４で未登録の場合には、口座開設用のＷｅｂページを示すＵＲＬ（以下、「口座開設用ＵＲＬ」という）を付記して（ステップ２０５）、ステップ２０６の電子メールを送信する。
【００３７】
受信側端末２０Ｂから情報提供用ＵＲＬに対してアクセス要求があった際に、当該アクセスを許可するか否かを、ユーザを特定できる情報（ユーザＩＤなど）と情報提供用パスワードなどで確認し判断し（ステップ２０８，ステップ２０９）、承認（許可）する場合には情報提供用のＷｅｂページを受信側端末２０Ｂに送信する（ステップ２１０）。情報提供用パスワード不一致、口座未登録、電子メール不存在、残高不足などの理由により承認（許可）できない場合には、エラー通知を行う（ステップ２１１）。
【００３８】
ここで、ステップ２０３及び／又はステップ２１０において、情報送信ユーザ及び／又は情報受信ユーザの口座情報に基づいて決済を行う。この決済処理は、送信側端末２０Ａ及び／又は受信側端末２０Ｂのユーザの電子メールアドレスまたは口座番号に基づいて、課金処理を行う。
【００３９】
また、送信側端末２０Ａで設定された情報提供用パスワードは、送信側端末２０Ａから受信側端末２０Ｂへ、電子メールなどで通知するようにしておく。
【００４０】
また、ステップ２０３及びステップ２１０においては、口座情報を有するユーザのみへＷｅｂページを提供するようにすることができる。
【００４１】
また、前記ステップ２１０においては、口座を開設した場合のみ受信側端末２０Ｂに情報を提供するようにしてもよい。
【００４２】
以上、本発明の電子決済システム及び情報提供方法について説明したが、上述した電子決済システム及び情報提供方法をコンピュータなどで実現・実行可能なプログラムとすることもできる。
【図面の簡単な説明】
【００４３】
【図１】本発明の電子決済システムの一例を示す図である。
【図２】本発明の電子決済システムによる情報提供方法の具体的な処理を示すフローチャートである。
【符号の説明】
【００４４】
１０  サーバ
１１  通信制御部
１２  情報処理部
１３  ＷｅｂページＤＢ
１４  情報ＤＢ
１５  ユーザ情報処理部
１６  ユーザ情報ＤＢ
１７  電子メール処理部
１８  決済処理部
１９  口座ＤＢ
２０Ａ  送信元ＰＣ（送信側端末）
２０Ｂ  携帯電話（受信側端末）
３０Ａ，３０Ｂ  プロバイダ
４０  ネットワーク
【図１】
2007004519.tif 000003
【図２】
2007004519.tif 000004